(57)【要約】本発明はレンジフード、ガスコンロ、料理用具の集中制御システムを開示し、レンジフード、ガスコンロと料理用具を含み、前記レンジフードはレンジフードコントローラ及びレンジフードコントローラと接続されるモータを含み、前記ガスコンロはガスコンロコントローラ及びガスコンロコントローラと接続されるガス比例弁を含む；料理用具のハンドルには料理用具コントローラ及び料理用具コントローラと接続される制御ボタンが設けられ、前記料理用具コントローラとレンジフードコントローラ、ガスコンロコントローラとの間は無線信号トランシーバーによって通信される。実際の作業においては、制御ボタンを操作して制御指令を出すだけで、ガスコンロの火力の自動的調節、ガスコンロの自動的オン／オフ、及びモータの回転速度の調節を実現でき、それによりレンジフードの通気量の変化を制御できる。鍋の温度がユーザに設定された必要の温度に達した際には、ガスコンロの火力及びレンジフードの通気量を自動に調節し、制御プロセス全体でも料理用具に対する操作だけで実現でき、手を空けてガスコンロ、レンジフードを操作する必要はなくなり、極めて便利で、素早い。
2019516051.tif 000002
【特許請求の範囲】
【請求項１】
レンジフード、ガスコンロ、料理用具の集中制御システムは、レンジフード、ガスコンロと料理用具を含み、前記レンジフードはレンジフードコントローラ及びレンジフードコントローラと接続されるモータを含み、前記ガスコンロはガスコンロコントローラ及びガスコンロコントローラと接続されるガス比例弁や電気プラグ弁を含む；前記集中制御システムは料理用具のハンドルに料理用具コントローラ及び料理用具コントローラと接続される制御ボタンが設けられ、前記料理用具コントローラがレンジフードコントローラ、ガスコンロコントローラとの間が無線信号トランシーバーによって通信されることを特徴とする。
【請求項２】
前記料理用具は鍋とフライ返しを含み、前記制御ボタンは鍋のハンドル及び／又はフライ返しのハンドルに設けられることを特徴とする請求項１に記載のレンジフード、ガスコンロ、料理用具の集中制御システム。
【請求項３】
前記鍋の底部には料理用具コントローラと接続されて鍋の温度を検出するための温度センサーが設けられ、鍋の温度がユーザに設定された必要の温度に達した時に、ガスコンロの火力及びレンジフードの通気量を自動に調節することを特徴とする請求項２に記載のレンジフード、ガスコンロ、料理用具の集中制御システム。
【請求項４】
前記料理用具コントローラには第一無線信号トランシーバーが接続され、レンジフードコントローラには第二無線信号トランシーバーが接続され、ガスコンロコントローラには第三無線信号トランシーバーが接続され、前記料理用具コントローラは第一無線信号トランシーバー、第二無線信号トランシーバーによってレンジフードコントローラと通信され、且つ第一無線信号トランシーバー、第三無線信号トランシーバーによってガスコンロコントローラと通信されることを特徴とする請求項１に記載にレンジフード、ガスコンロ、料理用具の集中制御システム。
【請求項５】
前記無線信号トランシーバーは無線周波数モジュール、WiFiモジュール、ブルートゥースモジュールやZigBeeモジュールであることを特徴とする請求項１に記載のレンジフード、ガスコンロ、料理用具の集中制御システム。
【請求項６】
前記モータは直流モータや交流可変周波数モータであることを特徴とする請求項１に記載のレンジフード、ガスコンロ、料理用具の集中制御システム。
【請求項７】
前記料理用具コントローラにはディスプレイが接続され、前記ディスプレイは料理用具のハンドルに嵌められることを特徴とする請求項１に記載のレンジフード、ガスコンロ、料理用具の集中制御システム。
【請求項８】
前記制御ボタンはレンジフード用スタートストップボタン、レンジフード用機能スイッチボタン、ガスコンロ用スタートストップボタン及びガスコンロ用機能スイッチボタンを含むことを特徴とする請求項１に記載のレンジフード、ガスコンロ、料理用具の集中制御システム。
【請求項９】
前記料理用具のハンドルに設けられる制御ボタンを操作して制御指令を出し、ガスコンロコントローラはその指令に基づいてガス比例弁や電気プラグ弁の開度を調節することを経由して、ガスコンロの火力の自動的調節、及びガスコンロのオフ／オンを実現する他、鍋にある煙が変化する際には、制御ボタンを操作して制御指令を出し、レンジフードコントローラは指令に基づいてモータの回転速度を制御することで、レンジフードの通気量の変化を制御することを特徴とする請求項１や８に記載のレンジフード、ガスコンロ、料理用具の集中制御システム。
【請求項１０】
前記料理用具コントローラにはユーザに操作を提示するための提示装置が接続され、前記提示装置はディスプレイ、音声提示装置や指示ランプであり、鍋中の温度がユーザに設定された必要の温度に達した際には、提示装置が相応の提示信号を出すことにより、ユーザがレンジフード、ガスコンロに対して相応の機能調節をするかどうかに関する判断を助けることを特徴とする請求項１に記載のレンジフード、ガスコンロ、料理用具の集中制御システム。
【発明の詳細な説明】
【技術分野】
【０００１】
本発明はキッチン家電製品の制御技術分野に関し、特にはレンジフード、ガスコンロ、料理用具の集中制御システムに関する。
【背景技術】
【０００２】
レンジフード、ガスコンロ、料理用具という製品を独自に使用する時には製品本体にある適切な機能を反映できない故に、従来技術は三つの製品を分けて、単独なサブシステムを形成するが、ユーザが使用する中に各製品を独立に使用するわけではなく、三つの製品の協力さえあればよい効果が取得でき、システム全体から解決手段を考えるべきである。
【発明の概要】
【発明が解決しようとする課題】
【０００３】
本発明の目的は操作しやすいレンジフード、ガスコンロ、料理用具の集中制御システムを提供すること。
【課題を解決するための手段】
【０００４】
〔技術的解決手段〕
上記目的に達するために、本発明は下記の解決手段を使用する。
【０００５】
レンジフード、ガスコンロ、料理用具の集中制御システムは、レンジフード、ガスコンロと料理用具を含み、前記レンジフードはレンジフードコントローラ及びレンジフードコントローラと接続されるモータを含み、前記ガスコンロはガスコンロコントローラ及びガスコンロコントローラと接続されるガス比例弁や電気プラグ弁を含む；前記料理用具のハンドルには料理用具コントローラ及び料理用具コントローラと接続される制御ボタンが設けられ、前記料理用具コントローラとレンジフードコントローラ、ガスコンロコントローラとの間は無線信号トランシーバーによって通信されることを特徴とする。
【０００６】
改善されたものとして、前記料理用具は鍋とフライ返しを含み、前記制御ボタンは鍋のハンドル及び／又はフライ返しのハンドルに設けられる。
【０００７】
改善されたものとして、前記鍋の底部には料理用具コントローラと接続されて鍋の温度を検出するための温度センサーが設けられ、鍋の温度がユーザに設定された必要の温度に達した時に、ガスコンロの火力及びレンジフードの通気量を自動に調節する。
【０００８】
改善されたものとして、前記料理用具コントローラには第一無線信号トランシーバーが接続され、レンジフードコントローラには第二無線信号トランシーバーが接続され、ガスコンロコントローラには第三無線信号トランシーバーが接続され、前記料理用具コントローラは第一無線信号トランシーバー、第二無線信号トランシーバーによってレンジフードコントローラと通信され、且つ第一無線信号トランシーバー、第三無線信号トランシーバーによってガスコンロコントローラと通信される。
【０００９】
改善されたものとして、前記無線信号トランシーバーは無線周波数モジュール、WiFi（登録商標）モジュール、ブルートゥース（登録商標）モジュールやZigBee（登録商標）モジュールである。
【００１０】
改善されたものとして、前記モータは直流モータや交流可変周波数モータである。
【００１１】
改善されたものとして、前記料理用具コントローラにはディスプレイが接続され、前記ディスプレイは料理用具のハンドル内に嵌められる。
【００１２】
改善されたものとして、前記制御ボタンはレンジフード用スタートストップボタン、レンジフード用機能スイッチボタン、ガスコンロ用スタートストップボタン及びガスコンロ用機能スイッチボタンを含む。
【００１３】
改善されたものとして、前記料理用具コントローラにはユーザに操作を提示するための提示装置が接続され、前記提示装置はディスプレイ、音声提示装置や指示ランプである；鍋中の温度がユーザに設定された必要の温度に達した際には、提示装置が相応の提示信号を出すことにより、ユーザがレンジフード、ガスコンロに対して相応の機能調節をするかどうかに関する判断を助ける。
【発明の効果】
【００１４】
〔本発明の有益効果〕
本発明の有益効果は下記のとおりである。
【００１５】
手動モードにおいては、料理用具のハンドルに設けられる制御ボタンを操作して制御指令を出すことによって、ガスコンロコントローラが制御指令に基づきガス比例弁や電気プラグ弁の開度を調節し、それでガスコンロの火力の自動的調節、それにガスコンロの自動的オン／オフを実現できる。鍋中の温度が変わった際には、制御ボタンを操作して制御指令を出し、レンジフードコントローラが制御指令に基づきモータの回転速度を調節し、レンジフードの通気量の変化を自動に制御する。自動モードにおいては、鍋中の温度がユーザに設定された必要の温度に達した際に、ガスコンロの火力及びレンジフードの通気量を自動に調節し、制御プロセス全体でも料理用具に対する操作だけで実現でき、手を空けてガスコンロ、レンジフードを操作する必要はなくなり、極めて便利で、素早い。
【図面の簡単な説明】
【００１６】
【図１】本発明が提供するレンジフード、ガスコンロ、料理用具の集中制御システムを示す構造図。
【図２】料理用具を示す構造図。
【図３】本発明が提供するレンジフード、ガスコンロ、料理用具の集中制御システムを示す構成図。
【図４】図３の洗練された構造図。
【００１７】
〔図面の符号の説明〕
１：レンジフード、２：ガスコンロ、３：料理用具、４：第一無線信号トランシーバー、５：第二無線信号トランシーバー、６：第三無線信号トランシーバー。
【００１８】
１ー１：レンジフードコントローラ、１ー２：モータ。
【００１９】
２ー１：ガスコンロコントローラ、２ー２：ガス比例弁。
【００２０】
３ー１：料理用具コントローラ、３ー２：制御ボタン、３ー３：温度センサー、３ー４：ディスプレイ。
【発明を実施するための形態】
【００２１】
〔本発明の最適な実施形態〕
本分野における技術者がさらよる本発明の本質を理解しやすいために、下記は図面を結合して本発明に関する具体的な実施形態を詳細に説明する。
【００２２】
図１ー図４に示すように、レンジフード、ガスコンロ、料理用具の集中制御システムは、レンジフード１、ガスコンロ２と料理用具３を含み、前記レンジフード１はレンジフードコントローラ１ー１及びレンジフードコントローラ１ー１と接続されるモータ１ー２を含み、前記ガスコンロ２はガスコンロコントローラ２ー１及びガスコンロコントローラ２ー１と接続されるガス比例弁２ー２を含む；前記料理用具３のハンドルには料理用具コントローラ３ー１及び料理用具コントローラ３ー１と接続される制御ボタン３ー２が設けられ、前記料理用具コントローラ３ー１がレンジフードコントローラ１ー１、ガスコンロコントローラ２ー１との間は無線信号トランシーバーによって通信されることを特徴とする。
【００２３】
ここにおいて、前記モータ１ー２は直流モータで、それによりレンジフードの通気量の無段階調節を実現する。前記無線信号トランシーバーはWiFiモジュールであり、それで信号伝送の信頼性を保証する。その他の実施形態においては、前記モータが可変周波数交流モータに変えられ、前記無線信号トランシーバーが無線周波数モジュール、ブルートゥースモジュールやZigBeeモジュールに代わられ、本実施例に限られない。
【００２４】
前記制御ボタン３ー２はレンジフード用スタートストップボタン、レンジフード用機能スイッチボタン、ガスコンロ用スタートストップボタン及びガスコンロ用機能スイッチボタンを含む。手動モードにおいては、料理用具のハンドルに設けられる制御ボタンを操作して制御指令を出すことによって、ガスコンロコントローラが制御指令に基づきガス比例弁や電気プラグ弁の開度を調節し、それでガスコンロの火力の自動的調節、それにガスコンロの自動的オン／オフを実現できる。鍋中の温度が変わった際には、制御ボタンを操作して制御指令を出し、レンジフードコントローラが制御指令に基づきモータの回転速度を調節し、レンジフードの通気量の変化を自動に制御する。自動モードにおいては、鍋中の温度がユーザに設定された必要の温度に達した際に、ガスコンロの火力及びレンジフードの通気量を自動に調節し、制御プロセス全体でも料理用具に対する操作だけで実現でき、手を空けてガスコンロ、レンジフードを操作する必要はなくなり、極めて便利で、素早い。
【００２５】
本実施例においては、前記料理用具３が鍋とフライ返しを含み、前記制御ボタン３ー２が同時に鍋のハンドル及びフライ返しのハンドルに設けられ、鍋の底部にまた料理用具コントローラ３ー１と接続され、鍋の温度を検出するための温度センサー３ー３が設けられる。料理を作る過程中に、温度センサー３ー３が鍋の底部の温度を実時間に検出することで、ユーザがガスコンロ、レンジフードの作業パラメータを制御するために根拠を提供する。特に、レンジフード、ガスコンロ、料理用具の作業パラメータをもっとよく表示し、マンマシンインタラクション効果を提供するためには、料理用具コントローラ３ー１にディスプレイ３ー４が接続され、前記ディスプレイ３ー４が料理用具３にハンドル内に嵌められ、前記ディスプレイ３ー４がレンジフードコントローラ、ガスコンロコントローラからフィードバックされた情報に基づいてレンジフード、ガスコンロの作業状態を実時間に表示し、且つ料理用具の作業温度を表示する。他の実施形態においては、前記制御ボタン３ー２が鍋のハンドルやフライ返しのハンドルに設けられ、本実施例に限らない。
【００２６】
更に具体的には、前記料理用具コントローラ３ー１とレンジフードコントローラ１ー１、ガスコンロコントローラ２ー１との間の無線通信方法は下記のとおりである：料理用具コントローラ３ー１には第一無線信号トランシーバー４が接続され、レンジフードコントローラ１ー１には第二無線信号トランシーバー５が接続され、ガスコンロコントローラ２ー１には第三無線信号トランシーバー６が接続され、前記料理用具コントローラ３ー１は第一無線信号トランシーバー４、第二無線信号トランシーバー５によってレンジフードコントローラ１ー１と通信され、且つ第一無線信号トランシーバー４、第三無線信号トランシーバー６によってガスコンロコントローラ２ー１と通信される。
【００２７】
更に、料理用具コントローラにはユーザに操作を提示する提示装置が接続され、前記提示装置はディスプレイ、音声提示装置や指示ランプである。鍋中の温度がユーザに設定された必要の温度に達した際には、提示装置が相応の提示信号を出すことにより、ユーザがレンジフード、ガスコンロに対して相応の機能調節をするかどうかに関する判断を助ける。
【００２８】
本実施例が提供するレンジフード、ガスコンロ、料理用具の集中制御システムは、レンジフード、ガスコンロ、料理用具の機能情報を同時にハンドルに設けられるボタンにフィードバックし、ユーザに関する機能操作をすることを提示し、それによりレンジフード、ガスコンロ、鍋やフライ返しなどの料理用具が有する各種類の機能を統合し、システムを形成して、独立なサブシステムが反映できない効果に達することができる。特には、鍋に温度センサーを設置することを経由して、料理用具の火力及びレンジフードの通気量に対する調節などの様々な機能を実現し、ユーザの操作に便利であり、レンジフード、ガスコンロ、料理用具を組みあわせたシステムにならせ、その各部分の機能が調和で、効果的に動作できるようになる。
【００２９】
上記具体的な実施形態は本発明の実質を詳細に説明したが、本発明の保護範囲を制限するわけではない。明らかには、本発明の実質から啓示を得、本技術分野の普通な技術者がいろんな改善と修飾、例えば電気プラグ弁でガス比例弁を代わるなどをしてもよい。注意するべきことは、これらの改善と修飾が全部本発明の特許請求の範囲以内に含まれる。
【図１】
2019516051.tif 000003
【図２】
2019516051.tif 000004
【図３】
2019516051.tif 000005
【図４】
2019516051.tif 000006
【国際調査報告】
2019516051.tif 000007
2019516051.tif 000008
2019516051.tif 000009
2019516051.tif 000010
2019516051.tif 000011
2019516051.tif 000012